(57)【要約】【課題】ステージの左右の端に到ってもなお王道ルートへの誘導が可能で、振り分け機会を増加し、かつ、二回目の振り分けに対する期待感の昂揚による興趣の持続性を図る。【解決手段】センター飾り７を階段面３３を備えたＶ字状スロープステージ３０と、階段面４３を備えた逆Ｖ字状スロープステージ４０と、前方へ張り出すダイビングステージ６０とを組み合わせた多段ステージ２０とする。ワープ通路からＶ字状スロープステージ３０へと放出された遊技球は、階段面３３をカタカタと駆け下りる様にして最下部３１へと減速しながら転がり、最初の振り分けポイントに至る。逆Ｖ字状スロープステージ４０へと振り分けられた遊技球は、階段面４３をカタカタと駆け下りて第２の振り分けポイントに到達し、円筒側面５１，５２に乗り上げて背面側へ転がると、入賞確率の最も高いガイド溝７１から放出される。【選択図】  図２
2008099998.tif 000002
【特許請求の範囲】
【請求項１】
遊技盤に設けられる図柄変動表示装置を備えたセンター役物の下部を構成し、センター役物のワープ通路から放出された遊技球を所要に振り分けて始動入賞口の方向へ誘導するステージとして、以下の構成を備えたことを特徴とする遊技球誘導用のセンター飾り。
（１−１）幅方向中央を最下部とする様に左右両側から下り傾斜とされたＶ字状スロープステージと、該Ｖ字状スロープステージの前面側に位置し、幅方向中央を最高部として前記Ｖ字状スロープステージの前記最下部と連続すると共に、左右両側に向かって下り傾斜とされた逆Ｖ字状スロープステージと、該逆Ｖ字状スロープステージの最高部から前方へ張り出す様に設けられると共に正面に向かって遊技球を誘導しつつ排出する遊技球１個分程度の窪みからなる誘導排出溝を備えたダイビングステージとを組み合わせた多段ステージとされていること。
（１−２）前記Ｖ字状スロープステージ及び前記逆Ｖ字状各スロープステージの上面を鋸刃形状とすることにより、下り階段の様な階段面を備えさせたこと。
（１−３）前記Ｖ字状スロープステージの正面側に、水平視したときに前記階段面を隠すことのできる高さを有すると共に該階段面を転がり落ちる遊技球が正面方向へと落下するのを阻止する正面ガードを設けると共に、最下部については遊技球を正面方向へと導出する正面開放部を設けたこと。
（１−４）前記Ｖ字状スロープステージは、それ自身の構造又は他の部品の構造によって遊技球が背面へと落下するのを阻止すると共に、左右両端の少なくとも一方側に前記ワープ通路の遊技球放出口が口が開口される様に取り付けられていること。
（１−５）前記逆Ｖ字状スロープステージは、正面側に、水平視したときに前記階段面を隠すことのできる高さを有すると共に該階段面を転がり落ちる遊技球が正面へと落下するのを阻止する正面ガードを設けると共に、最高部については遊技球を正面方向へと導出し得る中央正面開放部を、左右の最下部についても遊技球を正面方向へと導出し得る左正面開放部及び右正面開放部を設けたこと。
（１−６）前記逆Ｖ字状スロープステージは、それ自身の構造又は他の部品の構造によって、前記左右の正面開放部に到達する前に遊技球が背面へと落下するのを阻止する背面落下阻止壁を備えていること。
（１−７）前記背面落下阻止壁は、前記逆Ｖ字状スロープステージの左右の最下部においては、背面側へと遊技球を導入させ得る左背面開放部及び右背面開放部を備えていること。
（１−８）前記左背面開放部及び右背面開放部からの遊技球落下位置に、幅方向中央で合流する下り傾斜の左背面斜路及び右背面斜路と、該左右の背面斜路の合流部から正面へ向かって伸びる遊技球１個分程度の間隔の側壁を有するガイド溝とを備えていること。
（１−９）前記誘導排出溝及び前記ガイド溝の開放端は、始動入賞口の真上に位置されていること。
【請求項２】
遊技盤に設けられる図柄変動表示装置を備えたセンター役物の下部を構成し、センター役物のワープ通路から放出された遊技球を所要に振り分けて始動入賞口の方向へ誘導するステージとして、以下の構成を備えたことを特徴とする遊技球誘導用のセンター飾り。
（２−１）幅方向中央を最下部とする様に左右両側から下り傾斜とされたＶ字状スロープステージと、該Ｖ字状スロープステージの前面側に位置し、幅方向中央を最高部として前記Ｖ字状スロープステージの前記最下部と連続すると共に、左右両側に向かって下り傾斜とされた逆Ｖ字状スロープステージと、該逆Ｖ字状スロープステージの最高部から前方へ張り出す様に設けられると共に正面に向かって遊技球を誘導しつつ排出する遊技球１個分程度の窪みからなる誘導排出溝を備えたダイビングステージとを組み合わせた多段ステージとされていること。
（２−２）前記Ｖ字状スロープステージの正面側に、当該スロープステージの上面を転がり落ちる遊技球が正面方向へと落下するのを阻止する正面ガードを設けると共に、最下部については遊技球を正面方向へと導出する正面開放部を設けたこと。
（２−３）前記Ｖ字状スロープステージは、それ自身の構造又は他の部品の構造によって遊技球が背面へと落下するのを阻止すると共に、左右両端の少なくとも一方側に前記ワープ通路の遊技球放出口が口が開口される様に取り付けられていること。
（２−４）前記逆Ｖ字状スロープステージは、正面側に、当該スロープステージの上面を転がり落ちる遊技球が正面方向へと落下するのを阻止する正面ガードを設けると共に、最高部については遊技球を正面方向へと導出し得る中央正面開放部を、左右の最下部についても遊技球を正面方向へと導出し得る左正面開放部及び右正面開放部を設けたこと。
（２−５）前記逆Ｖ字状スロープステージは、それ自身の構造又は他の部品の構造によって、前記左右の正面開放部に到達する前に遊技球が背面へと落下するのを阻止する背面落下阻止壁を備えていること。
（２−６）前記背面落下阻止壁は、前記逆Ｖ字状スロープステージの左右の最下部においては、背面側へと遊技球を導入させ得る左背面開放部及び右背面開放部を備えていること。
（２−７）前記左背面開放部及び右背面開放部からの遊技球落下位置に、幅方向中央で合流する下り傾斜の左背面斜路及び右背面斜路と、該左右の背面斜路の合流部から正面へ向かって伸びる遊技球１個分程度の間隔の側壁を有するガイド溝とを備えていること。
（２−８）前記左右の背面斜路は、前記合流部において高さを段違いとしてあること。
（２−９）前記誘導排出溝及び前記ガイド溝の開放端は、始動入賞口の真上に位置されていること。
【請求項３】
遊技盤の中央部に図柄変動表示装置を備えるセンター役物を備え、該センター役物の中央下部に設けられた始動入賞口に遊技球が入賞すると図柄の変動表示を開始する様に構成され、さらに、以下の構成をも備えていることを特徴とする遊技機。
（３−１）幅方向中央を最下部とする様に左右両側から下り傾斜とされたＶ字状スロープステージと、該Ｖ字状スロープステージの前面側に位置し、幅方向中央を最高部として前記Ｖ字状スロープステージの前記最下部と連続すると共に、左右両側に向かって下り傾斜とされた逆Ｖ字状スロープステージと、該逆Ｖ字状スロープステージの最高部から前方へ張り出す様に設けられると共に正面に向かって遊技球を誘導しつつ排出する遊技球１個分程度の窪みからなる誘導排出溝を備えたダイビングステージとを組み合わせた多段ステージとされていること。
（３−２）前記Ｖ字状スロープステージ及び前記逆Ｖ字状各スロープステージの上面を鋸刃形状とすることにより、下り階段の様な階段面を備えさせたこと。
（３−３）前記Ｖ字状スロープステージの正面側に、水平視したときに前記階段面を隠すことのできる高さを有すると共に該階段面を転がり落ちる遊技球が正面方向へと落下するのを阻止する正面ガードを設けると共に、最下部については遊技球を正面方向へと導出する正面開放部を設けたこと。
（３−４）前記Ｖ字状スロープステージは、それ自身の構造又は他の部品の構造によって遊技球が背面へと落下するのを阻止すると共に、左右両端の少なくとも一方側に前記ワープ通路の遊技球放出口が口が開口される様に取り付けられていること。
（３−５）前記センター役物の所要位置に、前記Ｖ字状スロープステージの左右両端の少なくとも一方側に遊技球放出口を開口させたワープ通路を備えていること。
（３−６）前記逆Ｖ字状スロープステージは、正面側に、水平視したときに前記階段面を隠すことのできる高さを有すると共に該階段面を転がり落ちる遊技球が正面へと落下するのを阻止する正面ガードを設けると共に、最高部については遊技球を正面方向へと導出し得る中央正面開放部を、左右の最下部についても遊技球を正面方向へと導出し得る左正面開放部及び右正面開放部を設けたこと。
（３−７）前記逆Ｖ字状スロープステージは、それ自身の構造又は他の部品の構造によって、前記左右の正面開放部に到達する前に遊技球が背面へと落下するのを阻止する背面落下阻止壁を備えていること。
（３−８）前記背面落下阻止壁は、前記逆Ｖ字状スロープステージの左右の最下部においては、背面側へと遊技球を導入させ得る左背面開放部及び右背面開放部を備えていること。
（３−９）前記左背面開放部及び右背面開放部からの遊技球落下位置に、幅方向中央で合流する下り傾斜の左背面斜路及び右背面斜路と、該左右の背面斜路の合流部から正面へ向かって伸びる遊技球１個分程度の間隔の側壁を有するガイド溝とを備えていること。
（３−１０）前記左右の背面斜路は、前記合流部において高さを段違いとしてあること。
（３−１１）前記誘導排出溝及び前記ガイド溝の開放端は、始動入賞口の真上に位置されていること。
（３−１２）前記逆Ｖ字状スロープステージの正面側に、前記ガイド溝の左右の壁を中央側最高部とする下に凸の円弧面を有し、該円弧面の最下部付近の所定範囲を正面方向への遊技球排出口とする左右の円弧状ステージが備えられていること。
（３−１３）前記逆Ｖ字状スロープステージの最下部には、スロープの長手方向を中心線とする上に凸の円筒側面が該スロープの上面と連続的に形成されていること。
【発明の詳細な説明】
【技術分野】
【０００１】
本発明は、パチンコ機など、遊技球を用いた遊技機に関し、特に、こうした遊技機に適用される遊技球誘導用のセンター飾りに関する。
【背景技術】
【０００２】
従来から、パチンコ機などの遊技機には、遊技球の流れに変化を与え、遊技者に始動入賞口への入賞に対する期待感を持続させるために設けられる遊技球誘導用のセンター飾り（ステージやクルーンなど）が知られている。
【０００３】
センター飾りにクルーンを採用した遊技機には、中央部が低くなるように緩やかに傾斜したクルーン面に案内された遊技球が、一定時間だけクルーン面上を周回する様に転がった後、複数の入球口のいずれかに入るように構成され、この複数の入球口の内の特定の一つに入ったときに始動入賞口の直上に遊技球が排出される様な内部通路を形成することにより、クルーン上で遊技球が周回する間、特定の入球口に入る状態を期待感をもって視覚的に楽しませる様にしたものがある（特許文献１，２、図６（Ａ），（Ｂ）参照。）。
【０００４】
センター飾りにステージを採用した遊技機には、ステージ上面を中央を凸としたなだらかな起伏を形成し、中央の後面に開口を形成し、この開口から始動入賞口の直上に遊技球を排出するトンネル状連通路を形成することにより、ステージ上で遊技球が起伏に沿って左右に揺動する内に開口に侵入した場合に入賞の可能性が高められる状態を視覚的に楽しませる様にしたものがある（特許文献３、図６（Ｃ）参照。）。
【０００５】
また、センター飾りにステージを採用した遊技機において、ステージを三段に構成し、上段ステージの中央誘導溝から落下した遊技球をトンネル状連通路の開口へと導き易く構成し、上段ステージの左右脇溝から落下した場合も中段ステージの起伏に沿って左右に揺動して運良く中央開口からトンネル状連通路へ進入する可能性を残し、さらに、下段ステージにおいても起伏に沿って揺動することで、トンネル状連通路の直上にある中央誘導溝から始動入賞口への誘導可能性をも与えたものもある（特許文献４、図６（Ｄ）参照。）。
【０００６】
さらに、センター飾りにステージを採用した遊技機において、ステージを二段に構成し、上段ステージの山の部分の頂上及び中腹の部分にトンネル状連通路への開口を設けたものもある（特許文献５、図６（Ｅ）参照。）。
【０００７】
また、センター飾りにステージを採用した遊技機において、ステージを二段に構成し、上段は中央に向かって下り傾斜のスロープステージとしてその中央にトンネル状連通路への開口を形成し、下段ステージを特許文献３と同様の構成にしたものもある（特許文献６、図６（Ｆ）参照。）。
【０００８】
加えて、センター飾りにステージを採用した遊技機において、ステージを二段に構成し、上段を幅広に構成すると共に、中央に向かって下り階段の様に形成し、その中央部分に円錐状の窪みを形成して遊技球が前後方向に揺動しながら階段を下る様にして中央の振り分け位置に到達する様にしたものもある（特許文献７、図６（Ｇ）参照。）。
【特許文献１】特開２００４−７３２６４号公報（図２）
【特許文献２】特開２００４−２５４９５９号公報（図３）
【特許文献３】特開２００１−１５７７４２号公報（図２）
【特許文献４】特開２００５−３３４５６８号公報（図５〜図８）
【特許文献５】特開２００３−１９２７０号公報（図１７）
【特許文献６】特開２００４−２７５２７４号公報（図４）
【特許文献７】特開２００３−１８０９９１号公報（図８）
【発明の開示】
【発明が解決しようとする課題】
【０００９】
特許文献１，２のセンター飾りは、クルーン内を周回した後にどの孔に落ちるかで振り分けが終わってしまい、期待感の持続が短いという問題がある。また、特許文献３のセンター飾りは、ステージ中央の山の頂上での振り分けのみであり、遊技球の動きが単調で、期待感の持続は短いという問題がある。
【００１０】
一方、特許文献４のセンター飾りでは、上段，中段，下段の各ステージにおいてそれぞれ入賞可能性の高い通路への複数回の振り分け機会がある。特許文献５のセンター飾りにおいても、山の頂上以外にもトンネル状連通路への開口が設けられている点で興趣の持続性は特許文献３よりも高いといえる。また、特許文献６のセンター飾りでは、上段ステージへと放出された遊技球の入賞可能性は極めて高いものという期待感を抱かせる。
【００１１】
しかし、これら特許文献４〜５は、いずれも、最初の揺動運動において入賞可能性の高いトンネル状連通路への進入の可能性はほぼ決してしまう上に、最初の振り分けでトンネル状連通路へ進入できなかった遊技球がトンネル状連通路へと進入するにはステージの起伏に沿って山を登る様な運動をしなければならないことから、遊技者の期待感の持続性はそれほど高いものにならないという問題がある。
【００１２】
なお、特許文献７は、ステージに載った遊技球は全て下段の中央部分の放出口から飛び出す様に構成されており、実質的な振り分けの機会は１回しかないという問題がある。
【００１３】
そこで、本願は、センター飾りにおける遊技球の振り分けの機会を増加すると共に、最初の振り分け機会で期待される通路への進入を逃した場合にもさらにトンネル状連通路への振り分けの機会を与えると共に、その二回目の振り分けの機会が遊技球の転がり落ちる動作に対して有効に作用する様にして、いわゆる王道ルートへの誘導の期待を増加させ、中央のみならず、左右の端に到ってもなお王道ルートへの誘導が可能な興趣の持続性の高い遊技機を提供することを目的とする。
【課題を解決するための手段】
【００１４】
上記目的を達成するためになされた本発明の遊技球誘導用のセンター飾りは、遊技盤に設けられる図柄変動表示装置を備えたセンター役物の下部を構成し、センター役物のワープ通路から放出された遊技球を所要に振り分けて始動入賞口の方向へ誘導するステージとして、以下の構成を備えたことを特徴とする。
（１−１）幅方向中央を最下部とする様に左右両側から下り傾斜とされたＶ字状スロープステージと、該Ｖ字状スロープステージの前面側に位置し、幅方向中央を最高部として前記Ｖ字状スロープステージの前記最下部と連絡すると共に、左右両側に向かって下り傾斜とされた逆Ｖ字状スロープステージと、該逆Ｖ字状スロープステージの最高部から前方へ張り出す様に設けられると共に正面に向かって遊技球を誘導しつつ排出する遊技球１個分程度の窪みからなる誘導排出溝を備えたダイビングステージとを組み合わせた多段ステージとされていること。
（１−２）前記Ｖ字状スロープステージ及び前記逆Ｖ字状各スロープステージの上面を鋸刃形状とすることにより、下り階段の様な階段面を備えさせたこと。
（１−３）前記Ｖ字状スロープステージの正面側に、水平視したときに前記階段面を隠すことのできる高さを有すると共に該階段面を転がり落ちる遊技球が正面方向へと落下するのを阻止する正面ガードを設けると共に、最下部については遊技球を正面方向へと導出する正面開放部を設けたこと。
（１−４）前記Ｖ字状スロープステージは、それ自身の構造又は他の部品の構造によって遊技球が背面へと落下するのを阻止すると共に、左右両端の少なくとも一方側に前記ワープ通路の遊技球放出口が口が開口される様に取り付けられていること。
（１−５）前記逆Ｖ字状スロープステージは、正面側に、水平視したときに前記階段面を隠すことのできる高さを有すると共に該階段面を転がり落ちる遊技球が正面へと落下するのを阻止する正面ガードを設けると共に、最高部については遊技球を正面方向へと導出し得る中央正面開放部を、左右の最下部についても遊技球を正面方向へと導出し得る左正面開放部及び右正面開放部を設けたこと。
（１−６）前記逆Ｖ字状スロープステージは、それ自身の構造又は他の部品の構造によって、前記左右の正面開放部に到達する前に遊技球が背面へと落下するのを阻止する背面落下阻止壁を備えていること。
（１−７）前記背面落下阻止壁は、前記逆Ｖ字状スロープステージの左右の最下部においては、背面側へと遊技球を導入させ得る左背面開放部及び右背面開放部を備えていること。
（１−８）前記左背面開放部及び右背面開放部からの遊技球落下位置に、幅方向中央で合流する下り傾斜の左背面斜路及び右背面斜路と、該左右の背面斜路の合流部から正面へ向かって伸びる遊技球１個分程度の間隔の側壁を有するガイド溝とを備えていること。
（１−９）前記誘導排出溝及び前記ガイド溝の開放端は、始動入賞口の真上に位置されていること。
【００１５】
この本発明の遊技球誘導用のセンター飾りによれば、センター役物内へと連通するワープ通路に進入した遊技球は、多段ステージの最上段を構成するＶ字状スロープステージへと放出される。そして、Ｖ字状スロープステージの階段面をカタカタとあたかも人が駆け下りる様にして幅方向中央の最下部へと転がり落ちる。このとき、階段面としたことにより遊技球に対する減速作用が発揮される。また、遊技球は、最下部を越えて反対側に進もうとするが、前述の減速効果に加えて、反対側が上り階段の階段面となってさらに減速又は上昇を阻止する作用が発揮され、必要以上に反対側に進むことはない。従って、Ｖ字状スロープステージの最下部付近に左右に揺動しながら遊技球が滞留するということがなくなり、遊技球は、速やかに正面開放部から、最初の振り分けポイントであるＶ字状スロープステージと連絡している逆Ｖ字状スロープステージの中央部へと転がり出る。
【００１６】
この最初の振り分けポイントで真っ直ぐ正面へ向かって転がり出た遊技球は、ダイビングステージへと転げ出て誘導排出溝を通過して始動入賞口の真上から落下する。一方、最初の振り分けポイントで左右どちらかへ寄り気味にダイビングステージまで転げ出た場合は、残念ながら始動入賞口の真上からは落下しないものの、始動入賞口付近の障害釘に衝突することで始動入賞口への入賞可能性を秘めている。
【００１７】
また、最初の振り分けポイントでダイビングステージへと転げ出ることができなかった遊技球は、逆Ｖ字状スロープステージに誘導されて左右いずれかに向かって、ステージの階段面をカタカタとあたかも人が駆け下りる様にして逆Ｖ字状スロープステージの最下部へと転がり落ちて行く。そして、逆Ｖ字状スロープステージの最下部における第２の振り分けポイントに到達する。
【００１８】
この第２の振り分けポイントに到達した遊技球が背面側へ転がった場合には、逆Ｖ字状スロープステージの左右の最下部に設けられた背面開放部から転げ落ち、左右の背面斜路へと進入し、合流部を経てガイド溝を通過して始動入賞口の真上から落下する。
【００１９】
ここで、ダイビングステージの誘導排出溝に比べると、ガイド溝の方が下方に位置することから、始動入賞口への落下距離が短く、しかも、ガイド溝は遊技球をしっかりとガイドする機能を有する上に、そのガイドする距離も長くなるので、むしろ、第２の振り分けポイントにおいて背面へ転がった方が、最初の振り分けポイントで正面へ転がった場合よりも始動入賞口への入賞可能性が高い。
【００２０】
この結果、本発明の遊技球誘導用のセンター飾りによれば、入賞可能性への期待を与える振り分けの機会を２回設けるだけでなく、むしろ２回目の方が入賞可能性が高いことから、最初の振り分け機会において望む様な動きをしなかった場合にも遊技者は十分に期待感を持続する。また、最初の振り分けポイントにおいて正面へ誘導されなかった場合に、左右どちらへ転がってもこの２回目の振り分け機会が用意されていることも遊技者の期待感の持続性を高めるものとなっている。
【００２１】
加えて、遊技球の動きは、階段を駆け下りる人の動作の様に機敏で、例えば、特許文献３〜６の様ななだらかに起伏させたステージに見られる様なイライラ感を与えない。また、階段面による減速と反対側への転がり過ぎ防止の作用により、ワープ通路へと続けて遊技球が進入した様な場合に、Ｖ字状ステージの中央部で後続の遊技球と衝突しながら滞留時間を長くしてしまうということがなく、階段を駆け下りる様な印象に加えて、無駄な衝突や滞留を生じないという意味においても、機敏な印象を与えることができる。さらに、階段を下っていく動作だけではなく、次のステージでの振り分け、さらに、その先の第２の振り分けの機会が与えられることから、特許文献７の様な単純な動作にもならない。従って、本発明によれば、ワープ通路からステージへと放出された遊技球に、機敏で期待感の高い動作をさせることができる。
【００２２】
ここで、（１−１）〜（１−９）の構成を備えた遊技球誘導用のセンター飾りにおいて、さらに、以下の構成をも備えるとよい。
（１−１０）前記左右の背面斜路は、前記合流部において高さを段違いとしてあること。
【００２３】
かかる構成を備えると、連続してワープ通路へと遊技球が進入し、逆Ｖ字状スロープステージを経て左右の背面斜路からほぼ同時に遊技球が合流部へ向かった様な場合に、下側の背面斜路から合流部へ到達した遊技球が優先してガイド溝へと排出され、内部における球詰まりの発生を防止することができる。従って、（１−１０）は、入賞信頼度の高いガイドを可能にした本発明にとって、最適な構成ということができる。
【００２４】
また、（１−１）〜（１−９）の構成を備えた遊技球誘導用のセンター飾りにおいて、さらに、以下の構成をも備えるとよい。
（１−１１）前記逆Ｖ字状スロープステージの最下部には、スロープの長手方向を中心線とする上に凸の円筒側面が該スロープの上面と連続的に形成されていること。
（１−１２）前記逆Ｖ字状スロープステージの正面側に、前記ガイド溝の左右の壁を中央側最高部とする下に凸の円弧面を有し、該円弧面の最下部付近の遊技球数個以上の所定範囲を正面方向への遊技球排出口とする左右の円弧状ステージが備えられていること。
（１−１３）少なくとも前記左右の背面斜路の正面側を透明な合成樹脂による隔壁としたこと。
【００２５】
（１−１１）を備えることで、第２の振り分けポイントにおける遊技球の動作に偶然性を与え、背面側に遊技球が転がる可能性を十分に与えつつ、背面側に転がった場合のラッキー感をより強く感じさせることができる。これは、遊技者の期待感の持続性と興趣の向上とを達成する上で効果的なものとなる。
【００２６】
また、（１−１２）を備えることで、期待はかなり薄いものの幅広の開口とすることで、最後に転がり落ちる遊技球の飛び出し方向を広げ、運良く障害釘に当たって飛び上がった遊技球が始動入賞口へと入賞する可能性をも感じさせることができる。
【００２７】
さらに、（１−１３）を備えることで、第２の振り分けポイントで背面側に転がった遊技球が合流部からガイド溝へと導かれる様子を遊技者が視認することができ、期待感の昂揚に効果を発揮することができる。
【００２８】
同じく、上記目的を達成するためになされた本発明の遊技球誘導用のセンター飾りは、遊技盤に設けられる図柄変動表示装置を備えたセンター役物の下部を構成し、センター役物のワープ通路から放出された遊技球を所要に振り分けて始動入賞口の方向へ誘導するステージとして、以下の構成を備えたことを特徴とする。
（２−１）幅方向中央を最下部とする様に左右両側から下り傾斜とされたＶ字状スロープステージと、該Ｖ字状スロープステージの前面側に位置し、幅方向中央を最高部として前記Ｖ字状スロープステージの前記最下部と連絡すると共に、左右両側に向かって下り傾斜とされた逆Ｖ字状スロープステージと、該逆Ｖ字状スロープステージの最高部から前方へ張り出す様に設けられると共に正面に向かって遊技球を誘導しつつ排出する遊技球１個分程度の窪みからなる誘導排出溝を備えたダイビングステージとを組み合わせた多段ステージとされていること。
（２−２）前記Ｖ字状スロープステージの正面側に、当該スロープステージの上面を転がり落ちる遊技球が正面方向へと落下するのを阻止する正面ガードを設けると共に、最下部については遊技球を正面方向へと導出する正面開放部を設けたこと。
（２−３）前記Ｖ字状スロープステージは、それ自身の構造又は他の部品の構造によって遊技球が背面へと落下するのを阻止すると共に、左右両端の少なくとも一方側に前記ワープ通路の遊技球放出口が口が開口される様に取り付けられていること。
（２−４）前記逆Ｖ字状スロープステージは、正面側に、当該スロープステージの上面を転がり落ちる遊技球が正面方向へと落下するのを阻止する正面ガードを設けると共に、最高部については遊技球を正面方向へと導出し得る中央正面開放部を、左右の最下部についても遊技球を正面方向へと導出し得る左正面開放部及び右正面開放部を設けたこと。
（２−５）前記逆Ｖ字状スロープステージは、それ自身の構造又は他の部品の構造によって、前記左右の正面開放部に到達する前に遊技球が背面へと落下するのを阻止する背面落下阻止壁を備えていること。
（２−６）前記背面落下阻止壁は、前記逆Ｖ字状スロープステージの左右の最下部においては、背面側へと遊技球を導入させ得る左背面開放部及び右背面開放部を備えていること。
（２−７）前記左背面開放部及び右背面開放部からの遊技球落下位置に、幅方向中央で合流する下り傾斜の左背面斜路及び右背面斜路と、該左右の背面斜路の合流部から正面へ向かって伸びる遊技球１個分程度の間隔の側壁を有するガイド溝とを備えていること。
（２−８）前記左右の背面斜路は、前記合流部において高さを段違いとしてあること。
（２−９）前記誘導排出溝及び前記ガイド溝の開放端は、始動入賞口の真上に位置されていること。
【００２９】
この（２−１）〜（２−９）を備えた遊技球誘導用のセンター飾りによれば、センター役物内へと連通するワープ通路に進入した遊技球は、多段ステージの最上段を構成するＶ字状スロープステージへと放出され、Ｖ字状スロープステージの上面を幅方向中央の最下部へと転がり落ち、最初の振り分けポイントであるＶ字状スロープステージの中央部から逆Ｖ字状スロープステージの中央部へと転がり出る。なお、このとき、反対側のスロープを駆け上がる様な動作をしてから転がり出る場合もある。
【００３０】
この最初の振り分けポイントでは、ダイビングステージの誘導排出溝を通過して始動入賞口の真上から落下する場合と、ダイビングステージの誘導排出溝をはずれて始動入賞口付近に落下する場合と、逆Ｖ字状スロープステージに転がり出る場合とがある。逆Ｖ字状スロープステージに転がり出た場合は、その最下部における第２の振り分けポイントに到達する。
【００３１】
この第２の振り分けポイントに到達した遊技球は、逆Ｖ字状スロープステージの左右の最下部に設けられた背面開放部から転げ落ち、左右の背面斜路へと進入し、合流部を経てガイド溝を通過して始動入賞口の真上から落下する場合と、正面側へ転がり出てしまう場合とがある。
【００３２】
この（２−１）〜（２−９）の構成を備えたセンター飾りにおいても、（１−１）〜（１−９）の構成を備えたセンター飾りと同様に、第２の振り分けポイントにおいて背面へ転がった方が、最初の振り分けポイントで正面へ転がった場合よりも始動入賞口への入賞可能性が高い。この結果、（２−１）〜（２−９）の構成を備えたセンター飾りも、入賞可能性への期待を与える振り分けの機会を２回設けるだけでなく、むしろ２回目の方が入賞可能性が高いことから、最初の振り分け機会において望む様な動きをしなかった場合にも遊技者は十分に期待感を持続する。また、最初の振り分けポイントにおいて正面へ誘導されなかった場合に、左右どちらへ転がってもこの２回目の振り分け機会が用意されていることも遊技者の期待感の持続性を高めるものとなっている。
【００３３】
ここで、（２−１）〜（２−９）の構成を備えた遊技球誘導用のセンター飾りにおいて、さらに、以下の構成をも備えるとよい。
（２−１０）前記Ｖ字状スロープステージ及び前記逆Ｖ字状各スロープステージの上面を鋸刃形状とすることにより、下り階段の様な階段面を備えさせたこと。
【００３４】
これにより、遊技球の動きが機敏に階段を駆け下りる人の動作の様に感じさせ、階段面による十分な減速作用も発揮されて必要以上に逆側へと転がり過ぎることもなく、複数の振り分け機会を与えたことや、２回目の振り分けポイントまで到達した方がむしろ期待感の高い振り分けがなされることと合わせて、イライラ感を与えることなく、軽快でしかも期待感の持続性の高い遊技球の動きを演出することができる。
【００３５】
また、（２−１）〜（２−９）の構成を備えた遊技球誘導用のセンター飾りにおいても、さらに、以下の構成をも備えるとよい。
（２−１１）前記逆Ｖ字状スロープステージの最下部には、スロープの長手方向を中心線とする上に凸の円筒側面が該スロープの上面と連続的に形成されていること。
（２−１２）前記逆Ｖ字状スロープステージの正面側に、前記ガイド溝の左右の壁を中央側最高部とする下に凸の円弧面を有し、該円弧面の最下部付近の遊技球数個以上の所定範囲を正面方向への遊技球排出口とする左右の円弧状ステージが備えられていること。
（２−１３）少なくとも前記左右の背面斜路の正面側を透明な合成樹脂による隔壁としたこと。
【００３６】
また、上記目的を達成するためになされた本発明の遊技機は、遊技盤の中央部に図柄変動表示装置を備えるセンター役物を備え、該センター役物の中央下部に設けられた始動入賞口に遊技球が入賞すると図柄の変動表示を開始する様に構成され、さらに、以下の構成をも備えていることを特徴とする。
（３−１）幅方向中央を最下部とする様に左右両側から下り傾斜とされたＶ字状スロープステージと、該Ｖ字状スロープステージの前面側に位置し、幅方向中央を最高部として前記Ｖ字状スロープステージの前記最下部と連絡すると共に、左右両側に向かって下り傾斜とされた逆Ｖ字状スロープステージと、該逆Ｖ字状スロープステージの最高部から前方へ張り出す様に設けられると共に正面に向かって遊技球を誘導しつつ排出する遊技球１個分程度の窪みからなる誘導排出溝を備えたダイビングステージとを組み合わせた多段ステージとされていること。
（３−２）前記Ｖ字状スロープステージ及び前記逆Ｖ字状各スロープステージの上面を鋸刃形状とすることにより、下り階段の様な階段面を備えさせたこと。
（３−３）前記Ｖ字状スロープステージの正面側に、水平視したときに前記階段面を隠すことのできる高さを有すると共に該階段面を転がり落ちる遊技球が正面方向へと落下するのを阻止する正面ガードを設けると共に、最下部については遊技球を正面方向へと導出する正面開放部を設けたこと。
（３−４）前記Ｖ字状スロープステージは、それ自身の構造又は他の部品の構造によって遊技球が背面へと落下するのを阻止すると共に、左右両端の少なくとも一方側に前記ワープ通路の遊技球放出口が口が開口される様に取り付けられていること。
（３−５）前記センター役物の所要位置に、前記Ｖ字状スロープステージの左右両端の少なくとも一方側に遊技球放出口を開口させたワープ通路を備えていること。
（３−６）前記逆Ｖ字状スロープステージは、正面側に、水平視したときに前記階段面を隠すことのできる高さを有すると共に該階段面を転がり落ちる遊技球が正面へと落下するのを阻止する正面ガードを設けると共に、最高部については遊技球を正面方向へと導出し得る中央正面開放部を、左右の最下部についても遊技球を正面方向へと導出し得る左正面開放部及び右正面開放部を設けたこと。
（３−７）前記逆Ｖ字状スロープステージは、それ自身の構造又は他の部品の構造によって、前記左右の正面開放部に到達する前に遊技球が背面へと落下するのを阻止する背面落下阻止壁を備えていること。
（３−８）前記背面落下阻止壁は、前記逆Ｖ字状スロープステージの左右の最下部においては、背面側へと遊技球を導入させ得る左背面開放部及び右背面開放部を備えていること。
（３−９）前記左背面開放部及び右背面開放部からの遊技球落下位置に、幅方向中央で合流する下り傾斜の左背面斜路及び右背面斜路と、該左右の背面斜路の合流部から正面へ向かって伸びる遊技球１個分程度の間隔の側壁を有するガイド溝とを備えていること。
（３−１０）前記左右の背面斜路は、前記合流部において高さを段違いとしてあること。
（３−１１）前記誘導排出溝及び前記ガイド溝の開放端は、始動入賞口の真上に位置されていること。
（３−１２）前記逆Ｖ字状スロープステージの正面側に、前記ガイド溝の左右の壁を中央側最高部とする下に凸の円弧面を有し、該円弧面の最下部付近の所定範囲を正面方向への遊技球排出口とする左右の円弧状ステージが備えられていること。
（３−１３）前記逆Ｖ字状スロープステージの最下部には、スロープの長手方向を中心線とする上に凸の円筒側面が該スロープの上面と連続的に形成されていること。
【００３７】
この本発明の遊技機によれば、人が階段を駆け下りる様な機敏な印象と、期待感の持続と、振り分けポイントを左右両端に設けたことによる球詰まりの発生を防止し、しかも、背面斜路に転がった遊技球を最後まで楽しみながら目で追うことができるという効果を発揮する。
【００３８】
なお、この本発明の遊技機においても、さらに、以下の構成をも備えるとよい。
（３−１４）少なくとも前記左右の背面斜路の正面側を透明な合成樹脂による隔壁としたこと。
【発明の効果】
【００３９】
本発明によれば、センター飾りにおける遊技球の振り分けの機会を増加すると共に、最初の振り分け機会で期待される通路への進入を逃した場合にもさらにトンネル状連通路への振り分けの機会を与えると共に、その二回目の振り分けの機会が遊技球の転がり落ちる動作に対して有効に作用する様にして、いわゆる王道ルートへの誘導の期待を増加させ、中央のみならず、左右の端に到ってもなお王道ルートへの誘導が可能な興趣の持続性の高い遊技機を提供することができる。
【００４０】
なお、「王道」とは、「１  帝王が仁徳をもととして国を治めるやり方。  ２  楽な道。近道。（岩波国語辞典）」という意味の一般用語で、本願における「王道ルート」とは、この一般的な２番目の意味に当たり、「始動入賞口へと真っ直ぐに続く入賞ルート」を意味する。
【発明を実施するための最良の形態】
【００４１】
以下、本発明を具体化した実施形態を説明する。実施形態は、図１に示す様なパチンコ機の遊技盤１に設けられる図柄変動表示装置２を備えたセンター役物３に関するものである。
【００４２】
まず、遊技盤１について簡単に説明する。遊技盤１の前面中央には本発明を具体化したセンター役物３が配置されている。このセンター役物３のすぐ下には始動入賞口１１が配置されていて、該始動入賞口１１に遊技球が入賞すると図柄変動表示装置２に表示される図柄が変動を開始する。そのため、図柄変動表示装置２と始動入賞口１１との間は、遊技者が注目する場所となっている。また、遊技盤１には、これら部品の他に、図柄変動表示装置２を取り巻く様に配置されてセンター役物３を構成する大型装飾部品１２、特別入賞口１３、案内車１４、アウト口１５、普通入賞口１６、障害釘１７等の各種の部品が取り付けられている。また、遊技盤１には誘導レール１８が取り付けられ遊技領域１０が形成される。また、誘導レール１８の外側を取り囲む様にコーナー飾り１９が取り付けられている。
【００４３】
大型装飾部品１２は、図２に示す様に、上部から側面部を構成する上飾り５と、下部を構成するセンター飾り７とから構成されている。センター飾り７は、複数のステージを組み合わせた多段ステージ２０を備えている。この多段ステージ２０は、奧から順番に、Ｖ字状スロープステージ３０、逆Ｖ字状スロープステージ４０、ダイビングステージ６０及び円弧状下ステージ７０とから構成されている。
【００４４】
Ｖ字状スロープステージ３０は、幅方向中央を最下部３１とする様に左右両側から下り傾斜のスロープ面３２，３２を備えている。逆Ｖ字状スロープステージ４０は、Ｖ字状スロープステージ３０の前面側に位置し、幅方向中央を最高部４１としてＶ字状スロープステージ３０の最下部３１と連絡すると共に、左右両側に向かって下り傾斜とされたスロープ面４２，４２を備えている。ダイビングステージ６０は、逆Ｖ字状スロープステージ４０の最高部４１から前方へ張り出す様に設けられ、中央に正面に向かって遊技球を誘導しつつ排出する遊技球１個分程度の窪みからなる誘導排出溝６１を備えている。円弧状下ステージ７０は、逆Ｖ字状スロープステージ４０の下部正面側に、中央のガイド溝７１の左右の壁を中央側最高部とする下に凸の円弧面７２，７２を有している。
【００４５】
また、多段ステージ２０には、最奥部から最前部までの奥行きを持ち、円弧状下ステージ７０の左右の各外側に位置する下部サイドステージ８０，８０も備えている。この下部サイドステージ８０，８０は、Ｖ字状スロープステージ３０の左右の各端部を支持する支持部８１，８１を備え、全体に多段ステージ中央に向かって下り傾斜となった傾斜面８２，８２を備えている。
【００４６】
センター飾り７としては、さらに、多段ステージ２０の最前部において左右の下部サイドステージ８０，８０から正面側へと遊技球が落下するのを阻止する正面壁９０，９０も備えられている。また、上飾り５の左側面部には、センター役物３の内部へと遊技球を導入する遊技球導入口９１が備えられている。この遊技球導入口９１に進入した遊技球は、Ｖ字状スロープステージ３０の左端部に開口する遊技球放出口９２から多段ステージ２０へと放出される様になっている。この遊技球導入口９１と遊技級放出口９２の間に、ワープ通路（図示略）が備えられている。
【００４７】
Ｖ字状スロープステージ３０は、図３に符号を付して示す様に、遊技球が転がるスロープ面３２自体を鋸刃形状とすることにより、上面を下り階段の様にした階段面３３を備えている。また、Ｖ字状スロープステージ３０の正面側には、水平視したときに階段面３３を隠すことのできる高さを有すると共に階段面３３を転がり落ちる遊技球が正面方向へと落下するのを阻止する正面ガード３４が設けられている。この正面ガード３４は、最下部３１において遊技球２個分程度の幅で途切れており、遊技球を正面方向へと導出する正面開放部３５が形成されている。また、センター役物３として遊技盤１に組み付けられた状態においては、Ｖ字状スロープステージ３０の背面側には背面飾り部材３６が取り付けられ、背面側へは遊技球は一切落下することがない構造となっている。
【００４８】
また、Ｖ字状スロープステージ３０の幅方向中央の部分のスロープ面は、ステージ全幅に対して約１／４程度の範囲に渡って滑らかな緩斜面状湾曲面３７とされている。従って、階段面３３は、Ｖ字状スロープステージ３０の左右両端から約３／８程度の範囲に渡って設けられていることになる。さらに、この階段面３３の各ステップ面３３ａの幅方向長さは遊技球の直径程度とされ、段差は１ｍｍ程度とされている。従って、階段面３３は、遊技球を大きく跳ね上がらせるのではなく、カタカタと小さく上下動させる作用を発揮する。この小さく上下動する作用により、階段面３３を転がる遊技球は転がり速度を徐々に減速されて、緩斜面状湾曲面３７へと到達することになる。なお、この様に、遊技球の上下動は小さいので、本実施形態では正面ガード３４はそれほど高くしなくてよい。よって、階段面を転がり落ちる遊技球の様子は、遊技者に良く見える状態となっている。
【００４９】
なお、緩斜面状湾曲面３７の幅は、正面開放部３５の幅の約２〜３倍程度となっている。そして、正面開放部３５の後方の部分は、緩斜面状湾曲面３７の全体の湾曲状況よりも若干湾曲の強い半球面状窪み３８とされている。遊技球放出口９２からＶ字状スロープステージ３０へと進入した遊技球は、この半球面状窪み３８の正面へ向かう傾きによって正面方向へと導出されて逆Ｖ字状スロープステージ４０の最後部４１の辺りへと転がり出る。
【００５０】
逆Ｖ字状各スロープステージ４０にも、図４に符号を付して示す様に、遊技球が転がるスロープ面４２自体を鋸刃形状とすることにより、上面を下り階段の様にした階段面４３が備えられている。そして、逆Ｖ字状スロープステージ４０の正面側にも、水平視したときに階段面を隠すことのできる高さを有すると共に階段面４３を転がり落ちる遊技球が正面へと落下するのを阻止する正面ガード４４が設けられている。この正面ガード４４は、最高部４１において遊技球１個強の幅で途切れており、遊技球を正面方向へと導出し得る中央正面開放部４５が形成されている。また、左右の最下部４６，４７についても正面ガード４４が形成されず、遊技球を正面方向へと導出し得る左正面開放部４８及び右正面開放部４９が形成されている。
【００５１】
本実施形態では、逆Ｖ字状スロープステージ４０の最高部４１とＶ字状スロープステージ３０の最下部３１とを連絡する部分は、階段面３３，４３の段差と同程度の小さな段差によって接続されている。この段差は、逆Ｖ字状スロープステージ４０の最高部４１の方がＶ字状スロープステージ３０の最下部３１よりも若干低くなる様な段差である。これによって、Ｖ字状スロープステージ３０の正面開放部３５から正面へと転がり出た遊技球は、小さな段差を落ちる様にして逆Ｖ字状スロープステージ４０へと導入されることになる。
【００５２】
また、逆Ｖ字状スロープステージ４０は、最高部４１を頂点として全体に緩い下り勾配の屋根面５０となっている。この屋根面５０の各斜面５０ａは、階段面４２の各ステップ面４３ａの幅よりも若干小さな幅となっている。上述の中央正面開放部４５は、この屋根面５０の両端から若干内側に端が入り込んでおり、前述の様に遊技球１個分強の幅とされている。なお、正面ガード４４は、この中央正面開放部４５の両端からダイビングステージ６０の左右両端に至る範囲については少し高くしてある。従って、逆Ｖ字状スロープステージの最高部４１は、屋根面５０と中央正面開放部４５とにより、当該ステージ４０の左右の階段面４３，４３又はダイビングステージ６０への分岐点となり、最初の振り分けポイントを構成している。
【００５３】
さらに、逆Ｖ字状スロープステージ４０の最下部４６，４７は遊技球２個分程度の水平部とされており、この水平部には、スロープの長手方向を中心線とする上に凸の円筒側面５１，５２がスロープの上面と連続的に形成されている。また、逆Ｖ字状スロープステージ４０の背面は、Ｖ字状スロープステージ３０から垂下された垂直壁３９によって階段面４３の上を転がる際に遊技球の背面側への落下が阻止されている。なお、垂直壁３９の左右の端は、逆Ｖ字状スロープステージ４０の左右の最下部４６，４７にまでは達していない。
【００５４】
従って、図５に符号を付して示す様に、逆Ｖ字状スロープステージ４０において円筒側面５１，５２が形成されている最下部４６，４７には、背面側へと遊技球を導入させ得る左背面開放部５３及び右背面開放部５４が形成された状態になっている。この左右の背面開放部５３，５４からの遊技球落下位置に、幅方向中央で合流する下り傾斜の左背面斜路５５及び右背面斜路５６が形成されている。この左右の背面斜路５５，５６は、合流部５７において段違いとなる様に、左背面斜路５５については段差５８が形成されている。そして、合流部５７からは、正面へ向かって伸びる遊技球１個分程度の間隔の側壁を有するガイド溝７１が伸びている。なお、背面斜路５５，５６の正面側には、逆Ｖ字状スロープステージ４０の背面側に一体化された垂直隔壁５９が設けられている。これにより、背面斜路５５，５６に転げ落ちた遊技球は、合流部５７へと真っ直ぐに導かれる様になっている。
【００５５】
この結果、第１の振り分けによって逆Ｖ字状スロープステージ４０へと振り分けられて階段面４３を転がり落ちてきた遊技球は、円筒側面５１，５２によって正面側又は背面側へと振り分けられることになる。正面側へ振り分けられた遊技球は、円弧状下ステージ７０の円弧面７２を経て下方に放出される。一方、円筒側面５１，５２によって背面側へと振り分けられた遊技球は、背面斜路５５，５６を転がり、合流部を経てガイド溝７１から放出される。また、第１の振り分けでダイビングステージ６０へと振り分けられた遊技球は、基本的には誘導排出溝６１によって正面方向に誘導されながら放出される。しかし、ダイビングステージ６０の上面は逆Ｖ字状スロープステージ４０の屋根面５０と同じ角度の傾斜面とされているので、場合によっては誘導排出溝６１にうまく嵌らずに、左右に転げ落ちる場合もある。
【００５６】
なお、図１に示す様に、誘導排出溝６１及びガイド溝７１の開放端は、始動入賞口１１の真上に位置している。また、図２に示す様に、多段ステージ２０は、Ｖ字状スロープステージ３０、逆Ｖ字状スロープステージ４０及びダイビングステージ６０を透明な合成樹脂としている。従って、背面斜路５５，５６の正面側の垂直隔壁５９を通して、背面斜路５５，５６を遊技球が転がる様子を遊技者が視認することができる。
【００５７】
以上の様な構成を採用したことにより、本実施形態の遊技機によれば、センター役物３内へと連通するワープ通路に進入した遊技球は、多段ステージ２０の最上段を構成するＶ字状スロープステージ３０へと放出される。そして、Ｖ字状スロープステージ３０の階段面３３をカタカタとあたかも人が駆け下りる様にして幅方向中央の最下部３１へと転がり落ちる。このとき、階段面３３としたことにより遊技球に対する減速作用が発揮される。また、遊技球は、最下部３１を越えて反対側に進もうとするが、前述の減速効果に加えて、反対側が上り階段の階段面３３となってさらに減速又は上昇を阻止する作用が発揮され、必要以上に反対側に進むことはない。このＶ字状スロープステージ３０を転がる遊技球は、最終的には最初の振り分けポイントであるＶ字状スロープステージ３０の正面開放部３５から逆Ｖ字状スロープステージ４０の中央部へと転がり出る。
【００５８】
この最初の振り分けポイントで真っ直ぐ正面へ向かって転がり出た遊技球は、ダイビングステージ６０へと転げ出て誘導排出溝６１を通過して始動入賞口１１の真上から落下する。一方、最初の振り分けポイントで左右どちらかへ寄り気味にダイビングステージ６０まで転げ出た場合は、残念ながら始動入賞口１１の真上からは落下しないものの、始動入賞口１１の付近の障害釘に衝突することで始動入賞口１１への入賞可能性を秘めている。
【００５９】
また、最初の振り分けポイントでダイビングステージ６０へと転げ出ることができなかった遊技球は、逆Ｖ字状スロープステージ４０に誘導されて左右いずれかに向かって、ステージの階段面４３をカタカタとあたかも人が駆け下りる様にして逆Ｖ字状スロープステージ４０の最下部４６，４７へと減速しながら転がり落ちて行く。そして、逆Ｖ字状スロープステージの最下部４６，４７における第２の振り分けポイントに到達する。
【００６０】
この第２の振り分けポイントに到達した遊技球が円筒側面５１，５２に乗り上げて背面側へ転がった場合には、逆Ｖ字状スロープステージ４０の左右の背面開放部５３，５４から転げ落ち、左右の背面斜路５５，５６へと進入し、合流部５７を経てガイド溝７１を通過して始動入賞口１１の真上から落下する。
【００６１】
ここで、ダイビングステージ６０の誘導排出溝６１に比べると、ガイド溝７１の方が下方に位置することから、始動入賞口１１への落下距離が短く、しかも、ガイド溝１１は遊技球をしっかりとガイドする機能を有する上に、そのガイドする距離も長くなるので、むしろ、第２の振り分けポイントにおいて背面へ転がった方が、最初の振り分けポイントで正面へ転がった場合よりも始動入賞口１１への入賞可能性が高い。
【００６２】
この結果、本実施形態の遊技機によれば、入賞可能性への期待を与える振り分けの機会を２回設けるだけでなく、むしろ２回目の方が入賞可能性が高いことから、最初の振り分け機会において望む様な動きをしなかった場合にも遊技者は十分に期待感を持続する。また、最初の振り分けポイントにおいて正面へ誘導されなかった場合に、左右どちらへ転がってもこの２回目の振り分け機会が用意されていることも遊技者の期待感の持続性を高めるものとなっている。
【００６３】
加えて、遊技球の動きは、階段を駆け下りる人の動作の様に機敏で、左右に駆け回る様な印象を与える。従って、ワープ通路から多段ステージ２０へと放出された遊技球に、機敏で期待感の高い動作をさせることができる。
【００６４】
また、背面斜路５５，５６を段差５８によって段違いとしたので、連続してワープ通路へと遊技球が進入し、逆Ｖ字状スロープステージ４０を経て左右の背面斜路５５，５６からほぼ同時に遊技球が合流部５７へ向かった様な場合に、左側の背面斜路５５から合流部へ到達した遊技球が優先してガイド溝７１へと排出され、内部における球詰まりの発生を防止することができる。
【００６５】
さらに、円筒側面５１，５２により、第２の振り分けポイントにおける遊技球の動作に偶然性を与え、背面側に遊技球が転がる可能性を十分に与えつつ、背面側に転がった場合のラッキー感をより強く感じさせることができる。これは、遊技者の期待感の持続性と興趣の向上とを達成する上で効果的なものとなる。
【００６６】
また、円弧状下ステージ７０を備えることで、期待はかなり薄いものの円弧面７２を幅広の開口とすることで、最後に転がり落ちる遊技球の飛び出し方向を広げ、運良く障害釘に当たって飛び上がった遊技球が始動入賞口へと入賞する可能性をも感じさせることができる。
【００６７】
さらに、透明合成樹脂製としたことで、第２の振り分けポイントで背面側に転がった遊技球が合流部５７、ガイド溝７１へと導かれる様子を遊技者が視認することができ、期待感の昂揚に効果を発揮することができる。
【００６８】
加えて、本実施形態によれば、Ｖ字状スロープステージ３０と、逆Ｖ字状スロープステージと、これら各ステージの階段面３３，３４とを備えたことにより、長い距離を転がらせつつ、階段の段差による減速効果、さらには、反対側への駆け上り防止効果により、Ｖ字状スロープステージ３０に遊技球が滞留し過ぎることがなく、機敏に振り分けポイントから次のステージ４０又は６０へと進み、かつ、最初の振り分けが有利にならなかったときに逆Ｖ字状スロープステージ４０を転がることになって、さらに目を楽しませることができる。そして、ステージ上えは遊技球が機敏に動作するので、ワープ通路から続けて遊技球が飛び込んだ場合の遊技球同士の衝突の発生する可能性を減らし、振り分けポイントで後から来た遊技球に弾かれて不利な結果が生じるというガッカリ感の発生を抑制する効果も発揮される。
【００６９】
以上、発明を実施するための最良の形態としての一実施形態を説明したが、本発明は、これに限定されるものではなく、その要旨を逸脱しない範囲内における種々の変更が可能である。
【図面の簡単な説明】
【００７０】
【図１】実施形態のパチンコ機の遊技盤を示す正面図である。
【図２】実施形態のセンター役物の斜視図である。
【図３】実施形態のセンター役物下部に取り付けられるセンター飾りを示し、（Ａ）は斜視図、（Ｂ）は平面図である。
【図４】実施形態のセンター役物下部に取り付けられるセンター飾りを示し、（Ａ）は斜視図、（Ｂ）は平面図である。
【図５】実施形態のセンター役物下部に取り付けられるセンター飾りを示し、（Ａ）は斜視図、（Ｂ）は逆Ｖ字状スロープステージ中心線での断面図、（Ｃ）はＶ字状スロープステージ中心線での断面図である。
【図６】従来技術の説明図である。
【符号の説明】
【００７１】
１・・・遊技盤
２・・・図柄変動表示装置
３・・・センター役物
５・・・上飾り
７・・・センター飾り
１０・・・遊技領域
１１・・・始動入賞口
１２・・・大型装飾部品
１３・・・特別入賞口
１４・・・案内車
１５・・・アウト口
１６・・・普通入賞口
１７・・・障害釘
１８・・・誘導レール
１９・・・コーナー飾り
２０・・・多段ステージ
３０・・・Ｖ字状スロープステージ
３１・・・最下部
３２・・・スロープ面
３３・・・階段面
３３ａ・・・ステップ面
３４・・・正面ガード
３５・・・正面開放部
３６・・・背面飾り部材
３７・・・緩斜面状湾曲面
３８・・・半球面状窪み
３９・・・垂直壁
４０・・・逆Ｖ字状スロープステージ
４１・・・最高部
４２・・・スロープ面
４３・・・階段面
４３ａ・・・ステップ面
４４・・・正面ガード
４５・・・中央正面開放部
４６，４７・・・最下部
４８・・・左正面開放部
４９・・・右正面開放部
５０・・・屋根面
５０ａ・・・斜面
５１，５２・・・円筒側面
５３・・・左背面開放部
５４・・・右背面開放部
５５・・・左背面斜路
５６・・・右背面斜路
５７・・・合流部
５８・・・段差
５９・・・垂直隔壁
６０・・・ダイビングステージ
６１・・・誘導排出溝
７０・・・円弧状下ステージ
７１・・・ガイド溝
７２・・・円弧面
８０・・・下部サイドステージ
８１・・・支持部
８２・・・傾斜面
９０・・・正面壁
９１・・・遊技球導入口
９２・・・遊技球放出口
【図１】
2008099998.tif 000003
【図２】
2008099998.tif 000004
【図３】
2008099998.tif 000005
【図４】
2008099998.tif 000006
【図５】
2008099998.tif 000007
【図６】
2008099998.tif 000008